(57)【要約】【課題】従来技術である一群のＥＦ部品やＰＤ部品では、つば部の裏面にＰＤ接合やＥＦ接合するためのＥＦ線やＰＤ線を配備している。当該ＥＦ線やＰＤ線は、溶着強度を増すためには線の配備する面積を増加せざるを得ず、つば部外形寸法も当然大きくなってしまう。それに伴い、材料費や製造原価も嵩むという問題があったので、その解決策を課題とする。また、部品の改良に伴う一群のＰＤ継手やＥＦ継手の改良も必要である。【解決手段】本発明は、一群の継手および一群のＥＦ部品やＰＤ部品におけるつば部の平面上の溶着面以外に溶着面となる部位を配備するという手段を講じて溶着強度を確保しつつ、つば部外形寸法も小型化できる。さらに材料費や製造原価の削減もできる。【選択図】図１
2019022966.tif 000002
【特許請求の範囲】
【請求項１】
ＰＤ部品ならびにＥＦ部品の溶着面は、面取り部の面取り面の溶着面と、当該面取り面の溶着面に連続するつば部裏面の平面上の溶着面と、当該面取り面の溶着面に連続する円柱状の外周面の溶着面との３つの連続する溶着面を有する特徴のＰＤ部品ならびにＥＦ部品の溶着面の構造（発明その１）。
【請求項２】
当該の連続する３つの溶着面は、溶着面より当該部品の内部方向にＰＤ接合用のＰＤ線ならびにＥＦ接合用のＥＦ線を配備し、さらに該ＰＤ線ならびにＥＦ線の配置は、当該の溶着面に平行な面上に配置される特徴を有し、前記に記載のＰＤ部品ならびにＥＦ部品における溶着面の構造に配備されるＰＤ線ならびにＥＦ線の配置構造（発明その５）。
【請求項３】
ＰＤ部品ならびにＥＦ部品におけるつば部表面には、一対のＥＦ端子あるいはＰＤ端子を配備し、さらに一対の端子間を接続するＰＤ線あるいはＥＦ線を配備し、さらに一つあるいは複数のインジケーターを配備し（発明その６）、３つの連続する溶着面（発明その１）である円柱状の外周面の溶着面は、さらにねじ部に連続接続され（発明その７）、また当該ねじ部には圧力抑制安全装置の装着部を配備し、圧力抑制安全装置を横着する特徴を有する請求項１および請求項２に記載の特徴を有するＰＤ部品ならびにＥＦ部品（発明その１１）。
【請求項４】
一群の各種ＰＤ継手ならびに一群の各種ＥＦ継手において、開口部の開放端に位置する開口部口は、ＰＤ部品やＥＦ部品が溶着される溶着面である平面状の開口部上端部を配備し、さらに該上端部に連続する面取り部の面取り面の溶着面を配備し、さらに該面取り部の面取り面の溶着面に連続する円筒状の内周面の溶着面を配備する。当該の３つの溶着面は、３つの溶着面を有するＰＤ部品ならびにＥＦ部品とＰＤ接合ならびにＥＦ接合される目的をもって、一群の各種継手の本体と一体に配備される特徴を有する当該３つの溶着面の構造（発明その１２）。
【請求項５】
一群の各種ＰＤ継手ならびに一群の各種ＥＦ継手の封止部は、封止部のメネジ部が３つの溶着面における内周面の溶着面に連続接続され、該一群の各種継手の本体と一体に配備される特徴を有する封止部の構造（発明その１３）を特徴とする請求項４に記載の一群の各種ＰＤ継手ならびに一群の各種ＥＦ継手。
【請求項６】
一群の各種ＰＤ継手ならびに一群の各種ＥＦ継手は、封入部に一群の圧力抑制安全装置を装着する特徴を有する請求項４および請求項５に記載の一群の各種ＰＤ継手ならびに各種ＥＦ継手（発明その１４）。
【請求項７】
各種のＰＤ継手および各種のＥＦ継手および各種のＰＤ部品ならびに各種のＥＦ部品において、一群の継手ならびに一群の部品の溶着面は、Ｃ面取り部ならびにＲ面取り部の両方の面取り面を溶着面とすることが可能である請求項１および請求項２および請求項３および請求項４および請求項５および請求項６に記載の特徴を有する一群の各種継手ならびに一群の各種部品（発明その１８）。
【請求項８】
ＰＤ継手あるいはＥＦ継手の一群の合成樹脂キャップは、接続部の軸心Ｘと排出部にほぼ平行な軸線Ｙはほぼ直交する関係に有り、さらに、Ｙ１の軸心は、排出部にほぼ平行な軸線Ｙと同一の線上である場合と軸心Ｙと平行でオフセットして配置される場合があり（発明その２４）、さらに、キャップ内部側より順番に封止部の各軸心が同一軸心上に配置され、さらに該封止部におけるメネジ部の軸心と同一軸心上に円筒状の内周面の溶着面軸心が配置され、さらに面取り部の面取り面軸心が同一軸心上に配置される特徴を有する軸心の関係あるいは軸心の配置構造（発明その２３）。
【請求項９】
ＰＤ接合ならびにＥＦ接合により接合する一群のＰＤ継手ならびにＥＦ継手および一群のＰＤ部品ならびにＥＦ部品における溶着面は、面取り部の面取り面であるＣ面ならびにＲ面を１つの溶着面として、単独構造の溶着面である場合や当該溶着面に平面状の溶着面や外周面あるいは内周面の少なくとも一面以上を連続接続する構造を有する一群のＰＤ継手ならびにＥＦ継手および一群のＰＤ部品ならびにＥＦ部品（発明その２７）。
【発明の詳細な説明】
【技術分野】
【０００１】
本発明において、ＰＤ部品ならびにＥＦ部品の溶着面は、面取り部の面取り面の溶着面と、当該面取り面の溶着面に連続するつば部裏面の平面上の溶着面と、当該面取り面の溶着面に連続する円柱状の外周面の溶着面との３つの連続する溶着面を有する特徴のＰＤ部品ならびにＥＦ部品の溶着面の構造に関する。（発明その１）
【０００２】
本発明において、ＰＤ部品ならびにＥＦ部品の溶着面は、面取り部の面取り面の溶着面だけが溶着面である特徴を有するＰＤ部品ならびにＥＦ部品の溶着面の構造に関する。（発明その２）
【０００３】
本発明において、ＰＤ部品ならびにＥＦ部品の溶着面は、面取り部の面取り面の溶着面と、
当該面取り面の溶着面に連続するつば部裏面の平面上の溶着面との２つの連続する溶着面を有する特徴のＰＤ部品ならびにＥＦ部品の溶着面の構造に関する。（発明その３）
【０００４】
本発明において、ＰＤ部品ならびにＥＦ部品の溶着面は、面取り部の面取り面の溶着面と、当該面取り面の溶着面に連続する円柱状の外周面の溶着面との２つの連続する溶着面を有する特徴のＰＤ部品ならびにＥＦ部品の溶着面の構造に関する。（発明その４）
【０００５】
本発明において、前記発明その１および発明その２および発明その３および発明その４に記載の溶着面は、それぞれについて、溶着面より当該部品の内部方向にＰＤ接合用のＰＤ線ならびにＥＦ接合用のＥＦ線を配備し、さらに該ＰＤ線ならびにＥＦ線の配置は、当該の溶着面に平行な面上に配置される特徴を有し、前記に記載のＰＤ部品ならびにＥＦ部品における溶着面の構造に配備されるＰＤ線ならびにＥＦ線の配置構造に関する。（発明その５）
【０００６】
本発明において、前述のＰＤ部品ならびにＥＦ部品におけるつば部表面には、一対のＥＦ端子あるいはＰＤ端子を配備し、さらに一対の端子間を接続するＰＤ線あるいはＥＦ線を配備し、さらに一つあるいは複数のインジケーターを配備する特徴を有するＰＤ部品ならびにＥＦ部品の構造に関する。（発明その６）
【０００７】
本発明における発明その１において、３つの連続する溶着面である円柱状の外周面の溶着面は、さらにねじ部に連続接続される特徴を有するＰＤ部品ならびにＥＦ部品の構造に関する。（発明その７）
【０００８】
本発明における発明その２において、面取り部の面取り面の溶着面は、ねじ部が連続接続される特徴を有するＰＤ部品ならびにＥＦ部品の構造に関する。（発明その８）
【０００９】
本発明における発明その３において、面取り部の面取り面の溶着面は、つば部裏面の平面上の溶着面に連続接続される以外に、ねじ部が連続接続される特徴を有するＰＤ部品ならびにＥＦ部品の構造に関する。（発明その９）
【００１０】
本発明における発明その４において、円柱状の外周面の溶着面は、ねじ部が連続接続される特徴を有するＰＤ部品ならびにＥＦ部品の構造に関する。（発明その１０）
【００１１】
さらに、当該ねじ部には圧力抑制安全装置の装着部を配備し、圧力抑制安全装置を横着する特徴を有するＰＤ部品ならびにＥＦ部品に関する（発明その１１）。しかしながら、接合において、密閉空間の圧力上昇が良好の内に接合が完遂する場合には圧力抑制安全装置の装着を省くことが可能である。
【００１２】
本発明において、一群の各種ＰＤ継手ならびに一群の各種ＥＦ継手において、開口部の開放端に位置する開口部口は、ＰＤ部品やＥＦ部品が溶着される溶着面である平面状の開口部上端部を配備し、さらに該上端部に連続する面取り部の面取り面の溶着面を配備し、さらに該面取り部の面取り面の溶着面に連続する円筒状の内周面の溶着面を配備する。当該の３つの溶着面は、３つの溶着面を有するＰＤ部品ならびにＥＦ部品とＰＤ接合ならびにＥＦ接合される目的をもって、一群の各種継手の本体と一体に配備される特徴を有する当該３つの溶着面の構造に関する。（発明その１２）
【００１３】
本発明において、一群の各種ＰＤ継手ならびに一群の各種ＥＦ継手の封止部は、封止部のメネジ部が３つの溶着面における内周面の溶着面に連続接続され、該一群の各種継手の本体と一体に配備される特徴を有する封止部の構造に関する。（発明その１３）
【００１４】
本発明において、一群の各種ＰＤ部品ならびに一群の各種ＥＦ部品は、ねじ部に一群の圧力抑制安全装置を装着する特徴を有する一群の各種ＰＤ部品ならびに各種ＥＦ部品に関する。（発明その１４）
【００１５】
本発明において、一群の各種ＰＤ継手ならびに一群の各種ＥＦ継手では、開口部の開放端に位置する開口部口は、ＰＤ部品やＥＦ部品が溶着される溶着面である平面状の開口部上端部を配備し、さらに該上端部に連続する面取り部の面取り面の溶着面を配備する。当該の２つの溶着面は、２つの溶着面を有するＰＤ部品ならびにＥＦ部品とＰＤ接合ならびにＥＦ接合される目的をもって、一群の各種継手の本体と一体に配備される特徴を有する当該２つの溶着面の構造に関する。（発明その１５）
【００１６】
本発明において、一群の各種ＰＤ継手ならびに一群の各種ＥＦ継手の封止部は、封止部のメネジ部が２つの溶着面における面取り部の面取り面の溶着面に連続接続され、該一群の各種継手の本体と一体に配備される特徴を有する封止部の構造に関する。（発明その１６）
【００１７】
本発明において、一群の各種ＰＤ継手ならびに一群の各種ＥＦ継手は、封入部に一群の圧力抑制安全装置を装着する特徴を有する一群のＰＤ継手ならびにＥＦ継手に関する。（発明その１７）
【００１８】
本発明において、各種のＰＤ継手および各種のＥＦ継手および各種のＰＤ部品ならびに各種のＥＦ部品において、一群の継手ならびに一群の部品の溶着面は、Ｃ面取り部ならびにＲ面取り部の両方の面取り面を溶着面とすることが可能である特徴を有する一群の各種継手ならびに一群の各種部品に関する。（発明その１８）
【００１９】
本発明において、各種のＰＤ継手および各種のＥＦ継手および各種のＰＤ部品ならびに各種のＥＦ部品において、一群の継手ならびに一群の部品本体内部に配置されるＰＤ線ならびにＥＦ線は、溶着面に平行な面上に配置される配置構造の特徴を有する前記に記載の一群の各種継手ならびに一群の各種部品に関する。（発明その１９）
【００２０】
本発明において、例としたＰＤ継手あるいはＥＦ継手のバイパスサドルでは、封止部のメネジ部軸心と同一の軸心上に面取り面の溶着面における軸心は配置され、さらに、同一軸心上に、ＰＤ接合あるいはＥＦ接合にて組織的に一体として開口部ならびに開口部口を閉塞する本発明のＰＤ部品あるいはＥＦ部品における面取り部の面取り面の溶着面における軸心は、前記の同一の軸心上に配置される特徴を有する軸心の関係あるいは軸心の配置構造に関する。（発明その２０）
【００２１】
さらに、当該のバイパスサドルは、開口部の内面は凹凸のある形状を有し、さらに、開口部口の開口部上端部が配置されるつば部の外周部の厚さは、従来の管継手のキャップなどを溶着するに十分な厚みを有することがなく、開口部の外周部は内面と同様に凹凸のある形状の特徴を有するＰＤ継手あるいはＥＦ継手に関する。（発明その２１）
【００２２】
さらに、本発明において、例としたＰＤ継手あるいはＥＦ継手の合成樹脂キャップにおいても、バイパスサドルと同様に開口部内面あるいは開口部外周も凹凸のある形状の特徴を有するＰＤ継手あるいはＥＦ継手に関する。（発明その２２）
【００２３】
本発明において、例としたＰＤ継手あるいはＥＦ継手の合成樹脂キャップは、接続部の軸心Ｘと排出部にほぼ平行な軸線Ｙはほぼ直交する関係に有り、さらに、キャップ内部側より順番に封止部の各軸心が同一軸心上に配置され、さらに該封止部におけるメネジ部の軸心と同一軸心上に円筒状の内周面の溶着面軸心が配置され、さらに面取り部の面取り面軸心が同一軸心上に配置される特徴を有する軸心の関係あるいは軸心の配置構造に関する。（発明その２３）
【００２４】
また、当該の同一軸心は、図中のＹ１である開口部軸線および封入部軸心および封止部軸心と一致する。さらに該Ｙ１の軸心は、排出部にほぼ平行な軸線Ｙと同一の線上である場合と軸心Ｙと平行でオフセットして配置される事もある。（発明その２４）
【００２５】
さらに、封入部におけるコマ部軸心およびねじ部軸心がＹ１軸心上に配置される。さらに、本発明のＰＤ部品あるいはＥＦ部品の軸心関連が続けて同一軸心上に配置される。なおかつ、当該部品のねじ部軸心が配置され、さらに円筒状の外周面の溶着面軸心が連続して配置され、続けて面取り部の面取り面軸心が配置され、最後に、つば部の軸心が同様に配置されている特徴を有する封入部ならびに該部品の各軸心の配置構造に関する。（発明その２５）
【００２６】
以上に記載の一群のＰＤ継手あるいは一群のＥＦ継手ならびにＰＤ部品あるいはＥＦ部品に配備されるインジケーターは、先行技術のインジケーターに類するものであれば良く、その配置は、特許文献２および特許文献３および特許文献４に記載の一列あるいは複数列に複数個数配置されても良く、さらに、千鳥状に複数個数配置されても良い特徴を有するインジケーターの配置構造に関する。（発明その２６）
【００２７】
ＰＤ接合ならびにＥＦ接合により接合する一群のＰＤ継手ならびにＥＦ継手および一群のＰＤ部品ならびにＥＦ部品における溶着面は、面取り部の面取り面であるＣ面ならびにＲ面を１つの溶着面として、単独構造の溶着面である場合や当該溶着面に平面状の溶着面や外周面あるいは内周面の少なくとも一面以上を連続接続する構造を有する一群のＰＤ継手ならびにＥＦ継手および一群のＰＤ部品ならびにＥＦ部品。（発明その２７）
【００２８】
なお、本発明に記載の開口部あるいは開口部口とは、穿孔する工具のホールソーを取り付ける開口部やパージ孔やバイパス回路を構築時の元コックを取り付けたりや玉入れ作業用の開口部である。
【背景技術】
【００２９】
従来技術のＥＦ部品については、特許文献１に記載してあるので参照ください。また、特許文献５より特許文献１１には、パージ孔やホールソー取り付け孔を閉塞する封入部における蓋部がＥＦ部品である。
【００３０】
従来技術のＰＤ部品ならびにＰＤ接合については、特許文献２より特許文献４に記載してあるので参照ください。また、ＰＤ部品やＰＤ接合の語源は、非特許文献１を語源としている。
【００３１】
従来技術の圧力抑制安全装置ならびに破断装置については、特許文献７および特許文献１２および特許文献１４に記載してあるので参照ください。また、特許文献１４には、一群のＥＦ継手も記載してあるので参照ください。
【００３２】
従来技術のＥＦ部品およびＰＤ部品ならびに各種継手に参照としたインジケーターは、特許文献１５を例としました。
【００３３】
従来技術の蓋部におけるつば部にＰＤ線やＥＦ線を配備するＰＤ部品やＥＦ部品では、接合強度を上げる手段が、溶着面積を広くする手段のみである。それに伴い、従来のＥＦ部品やＰＤ部品では、つば部の外形寸法が大きくならざるを得ない。さらに、部品の大きさが大きくなるので製造の材料費や金型などの製造費用が増大する。という問題があった。
【先行技術文献】
【特許文献】
【００３４】
【特許文献１】特願２０１７−９０２０号      ＥＦ部品
【特許文献２】特願２０１７−０９２０５９号  ＰＤ方式
【特許文献３】特願２０１７−１００４３７号  ＰＤ方式追加
【特許文献４】特願２０１７−１１５５１８号  ＰＤ方式追加２
【特許文献５】実用新案登録代２０２０６０号    合成樹脂キャップ
【特許文献６】特願２０１４−１３４８８７号    合成樹脂キャップ
【特許文献７】特願２０１５−２３９４８７号    合成樹脂キャップ破断装置
【特許文献８】特願２０１６−２４２７８８号  合成樹脂キャップ分割
【特許文献９】特願２０１６−１７１２５４号  合成樹脂製ＥＦ継手のバイパスサドル
【特許文献１０】特願２０１６−１７１２５５号    合成樹脂製ＥＦ継手のサービスチー
【特許文献１１】特願２０１４−１２４７３８号    パージ孔口付ＥＦソケット継手
【特許文献１２】特願２０１７−３４２３９号    圧力抑制安全装置の一群の種類
【特許文献１３】特願２０１７−１４６６号      圧力抑制安全装置
【特許文献１４】特願２０１７−７８０８４号  カプセル状ならびに一群の
【特許文献１５】特開平１１−３２５３６７号      インジケーター
【非特許文献】
【００３５】
【非特許文献１】商標登録第４１８５４２６号
【発明の概要】
【発明が解決しようとする課題】
【００３６】
従来の技術に鑑みて、従来技術である一群のＥＦ部品やＰＤ部品では、つば部の裏面にＰＤ接合やＥＦ接合するためのＥＦ線やＰＤ線を配備している。当該ＥＦ線やＰＤ線は、溶着強度を増すためには当該の線の配備する面積を増加せざるを得ず、つば部外形寸法も当然大きくなってしまうという問題があったので解決策を課題とする。
【００３７】
それに伴い、部品の全体の容積も増し、追随して材料費や製造原価も嵩むという問題があったのでその解決策を課題とする。
【００３８】
さらに、部品の問題に付随し、一群のＥＦ部品やＰＤ部品にて閉塞する一群のＥＦ継手やＰＤ継手の開口部口周りおよび開口部内部や封止部の改良も必要となる問題があるのでその解決策を課題とする。
【課題を解決するための手段】
【００３９】
本発明において、ＰＤ部品ならびにＥＦ部品の溶着面は、面取り部の面取り面の溶着面と、当該面取り面の溶着面に連続するつば部裏面の平面上の溶着面と、当該面取り面の溶着面に連続する円柱状の外周面の溶着面との３つの連続する溶着面を有する特徴のＰＤ部品ならびにＥＦ部品の溶着面の構造を解決手段とする。（発明その１）
【００４０】
本発明において、ＰＤ部品ならびにＥＦ部品の溶着面は、面取り部の面取り面の溶着面だけが溶着面である特徴を有するＰＤ部品ならびにＥＦ部品の溶着面の構造を解決手段とする。（発明その２）
【００４１】
本発明において、ＰＤ部品ならびにＥＦ部品の溶着面は、面取り部の面取り面の溶着面と、
当該面取り面の溶着面に連続するつば部裏面の平面上の溶着面との２つの連続する溶着面を有する特徴のＰＤ部品ならびにＥＦ部品の溶着面の構造を解決手段とする。（発明その３）
【００４２】
本発明において、ＰＤ部品ならびにＥＦ部品の溶着面は、面取り部の面取り面の溶着面と、当該面取り面の溶着面に連続する円柱状の外周面の溶着面との２つの連続する溶着面を有する特徴のＰＤ部品ならびにＥＦ部品の溶着面の構造を解決手段とする。（発明その４）
【００４３】
本発明において、前記発明その１および発明その２および発明その３および発明その４に記載の溶着面は、それぞれについて、溶着面より当該部品の内部方向にＰＤ接合用のＰＤ線ならびにＥＦ接合用のＥＦ線を配備し、さらに該ＰＤ線ならびにＥＦ線の配置は、当該の溶着面に平行な面上に配置される特徴を有し、前記に記載のＰＤ部品ならびにＥＦ部品における溶着面の構造に配備されるＰＤ線ならびにＥＦ線の配置構造を解決手段とする。（発明その５）
【００４４】
本発明において、前述のＰＤ部品ならびにＥＦ部品におけるつば部表面には、一対のＥＦ端子あるいはＰＤ端子を配備し、さらに一対の端子間を接続するＰＤ線あるいはＥＦ線を配備し、さらに一つあるいは複数のインジケーターを配備する特徴を有するＰＤ部品ならびにＥＦ部品の構造を解決手段とする。（発明その６）
【００４５】
本発明における発明その１において、３つの連続する溶着面である円柱状の外周面の溶着面は、さらにねじ部に連続接続される特徴を有するＰＤ部品ならびにＥＦ部品の構造を解決手段とする。（発明その７）
【００４６】
本発明における発明その２において、面取り部の面取り面の溶着面は、ねじ部が連続接続される特徴を有するＰＤ部品ならびにＥＦ部品の構造を解決手段とする。（発明その８）
【００４７】
本発明における発明その３において、面取り部の面取り面の溶着面は、つば部裏面の平面上の溶着面に連続接続される以外に、ねじ部が連続接続される特徴を有するＰＤ部品ならびにＥＦ部品の構造を解決手段とする。（発明その９）
【００４８】
本発明における発明その４において、円柱状の外周面の溶着面は、ねじ部が連続接続される特徴を有するＰＤ部品ならびにＥＦ部品の構造を解決手段とする。（発明その１０）
【００４９】
さらに、当該ねじ部には圧力抑制安全装置の装着部を配備し、圧力抑制安全装置を横着する特徴を有するＰＤ部品ならびにＥＦ部品を解決手段とする（発明その１１）。しかしながら、接合において、密閉空間の圧力上昇が良好の内に接合が完遂する場合には圧力抑制安全装置の装着を省くことが可能である。
【００５０】
本発明において、一群の各種ＰＤ継手ならびに一群の各種ＥＦ継手において、開口部の開放端に位置する開口部口は、ＰＤ部品やＥＦ部品が溶着される溶着面である平面状の開口部上端部を配備し、さらに該上端部に連続する面取り部の面取り面の溶着面を配備し、さらに該面取り部の面取り面の溶着面に連続する円筒状の内周面の溶着面を配備する。当該の３つの溶着面は、３つの溶着面を有するＰＤ部品ならびにＥＦ部品とＰＤ接合ならびにＥＦ接合される目的をもって、一群の各種継手の本体と一体に配備される特徴を有する当該３つの溶着面の構造を解決手段とする。（発明その１２）
【００５１】
本発明において、一群の各種ＰＤ継手ならびに一群の各種ＥＦ継手の封止部は、封止部のメネジ部が３つの溶着面における内周面の溶着面に連続接続され、該一群の各種継手の本体と一体に配備される特徴を有する封止部の構造を解決手段とする。（発明その１３）
【００５２】
本発明において、一群の各種ＰＤ部品ならびに一群の各種ＥＦ部品は、ねじ部に一群の圧力抑制安全装置を装着する特徴を有する一群の各種ＰＤ部品ならびに各種ＥＦ部品を解決手段とする。（発明その１４）
【００５３】
本発明において、一群の各種ＰＤ継手ならびに一群の各種ＥＦ継手では、開口部の開放端に位置する開口部口は、ＰＤ部品やＥＦ部品が溶着される溶着面である平面状の開口部上端部を配備し、さらに該上端部に連続する面取り部の面取り面の溶着面を配備する。当該の２つの溶着面は、２つの溶着面を有するＰＤ部品ならびにＥＦ部品とＰＤ接合ならびにＥＦ接合される目的をもって、一群の各種継手の本体と一体に配備される特徴を有する当該２つの溶着面の構造を解決手段とする。（発明その１５）
【００５４】
本発明において、一群の各種ＰＤ継手ならびに一群の各種ＥＦ継手の封止部は、封止部のメネジ部が２つの溶着面における面取り部の面取り面の溶着面に連続接続され、該一群の各種継手の本体と一体に配備される特徴を有する封止部の構造を解決手段とする。（発明その１６）
【００５５】
本発明において、一群の各種ＰＤ継手ならびに一群の各種ＥＦ継手は、封入部に一群の圧力抑制安全装置を装着する特徴を有する一群のＰＤ継手ならびにＥＦ継手を解決手段とする。（発明その１７）
【００５６】
本発明において、各種のＰＤ継手および各種のＥＦ継手および各種のＰＤ部品ならびに各種のＥＦ部品において、一群の継手ならびに一群の部品の溶着面は、Ｃ面取り部ならびにＲ面取り部の両方の面取り面を溶着面とすることが可能である特徴を有する一群の各種継手ならびに一群の各種部品を解決手段とする。（発明その１８）
【００５７】
本発明において、各種のＰＤ継手および各種のＥＦ継手および各種のＰＤ部品ならびに各種のＥＦ部品において、一群の継手ならびに一群の部品本体内部に配置されるＰＤ線ならびにＥＦ線は、溶着面に平行な面上に配置される配置構造の特徴を有する前記に記載の一群の各種継手ならびに一群の各種部品を解決手段とする。（発明その１９）
【００５８】
本発明において、例としたＰＤ継手あるいはＥＦ継手のバイパスサドルでは、封止部のメネジ部軸心と同一の軸心上に面取り面の溶着面における軸心は配置され、さらに、同一軸心上に、ＰＤ接合あるいはＥＦ接合にて組織的に一体として開口部ならびに開口部口を閉塞する本発明のＰＤ部品あるいはＥＦ部品における面取り部の面取り面の溶着面における軸心は、前記の同一の軸心上に配置される特徴を有する軸心の関係あるいは軸心の配置構造を解決手段とする。（発明その２０）
【００５９】
さらに、当該のバイパスサドルは、開口部の内面は凹凸のある形状を有し、さらに、開口部口の開口部上端部が配置されるつば部の外周部の厚さは、従来の管継手のキャップなどを溶着するに十分な厚みを有することがなく、開口部の外周部は内面と同様に凹凸のある形状の特徴を有するＰＤ継手あるいはＥＦ継手を解決手段とする。（発明その２１）
【００６０】
さらに、本発明において、例としたＰＤ継手あるいはＥＦ継手の合成樹脂キャップにおいても、バイパスサドルと同様に開口部内面あるいは開口部外周も凹凸のある形状の特徴を有するＰＤ継手あるいはＥＦ継手を解決手段とする。（発明その２２）
【００６１】
本発明において、例としたＰＤ継手あるいはＥＦ継手の合成樹脂キャップは、接続部の軸心Ｘと排出部にほぼ平行な軸線Ｙはほぼ直交する関係に有り、さらに、キャップ内部側より順番に封止部の各軸心が同一軸心上に配置され、さらに該封止部におけるメネジ部の軸心と同一軸心上に円筒状の内周面の溶着面軸心が配置され、さらに面取り部の面取り面軸心が同一軸心上に配置される特徴を有する軸心の関係あるいは軸心の配置構造を解決手段とする。（発明その２３）
【００６２】
また、当該の同一軸心は、図中のＹ１である開口部軸線および封入部軸心および封止部軸心と一致する。さらに該Ｙ１の軸心は、排出部にほぼ平行な軸線Ｙと同一の線上である場合と軸心Ｙと平行でオフセットして配置される事を解決手段とする。（発明その２４）
【００６３】
さらに、封入部におけるコマ部軸心およびねじ部軸心がＹ１軸心上に配置される。さらに、本発明のＰＤ部品あるいはＥＦ部品の軸心関連が続けて同一軸心上に配置される。なおかつ、当該部品のねじ部軸心が配置され、さらに円筒状の外周面の溶着面軸心が連続して配置され、続けて面取り部の面取り面軸心が配置され、最後に、つば部の軸心が同様に配置されている特徴を有する封入部ならびに該部品の各軸心の配置構造を解決手段とする。（発明その２５）
【００６４】
以上に記載の一群のＰＤ継手あるいは一群のＥＦ継手ならびにＰＤ部品あるいはＥＦ部品に配備されるインジケーターは、先行技術のインジケーターに類するものであれば良く、その配置は、特許文献２および特許文献３および特許文献４に記載の一列あるいは複数列に複数個数配置されても良く、さらに、千鳥状に複数個数配置されても良い特徴を有するインジケーターの配置構造を解決手段とする。（発明その２６）
【００６５】
ＰＤ接合ならびにＥＦ接合により接合する一群のＰＤ継手ならびにＥＦ継手および一群のＰＤ部品ならびにＥＦ部品における溶着面は、面取り部の面取り面であるＣ面ならびにＲ面を１つの溶着面として、単独構造の溶着面である場合や当該溶着面に平面状の溶着面や外周面あるいは内周面の少なくとも一面以上を連続接続する構造を有する一群のＰＤ継手ならびにＥＦ継手および一群のＰＤ部品ならびにＥＦ部品を解決手段とする。（発明その２７）
【発明の効果】
【００６６】
以上により、本発明において、ＰＤ部品ならびにＥＦ部品の溶着面は、面取り部の面取り面の溶着面と、当該面取り面の溶着面に連続するつば部裏面の平面上の溶着面と、当該面取り面の溶着面に連続する円柱状の外周面の溶着面との３つの連続する溶着面を有する特徴のＰＤ部品ならびにＥＦ部品の溶着面の構造（発明その１）を解決手段として講じたことにより、ＰＤ部品ならびにＥＦ部品の溶着面は、つば部裏面の平面上の溶着面と、該溶着面に連続する面取り部の面取り面の溶着面と、さらに該溶着面に連続する円柱状の外周面の溶着面の連続する３つの溶着面を有する特徴のＰＤ部品ならびにＥＦ部品の溶着面の構造を解決手段（発明その１）として講じたことにより、ＰＤ線やＥＦ線の配置面はつば部裏面以外に、面取り部の面取り面の溶着面と円柱状の外周面の溶着面を配備することにより、つば部裏面の溶着面積を小さくしても、全体の溶着面積あるいは溶着強度は確保出来る効果が現れた。
【００６７】
したがって、ＰＤ部品ならびにＥＦ部品のつば部の外形寸法を小さくできる効果が現れた。さらに、面取り部の面取り面の溶着面と、円柱状の外周面の溶着面とが加わることにより溶着面は、水平方向ならびに鉛直方向ならびに水平方向より鉛直方向への角度移動の前角度範囲方向となる複数の方向に渡る溶着面となり、各方向に対する溶着強度が増す、という効果も現れた。
【００６８】
また、つば部の外形寸法を小さく出来たことにより、部品自体の全体容積も減少できて、製造材料の量も削減でき、製造原価の削減といいう効果も現れた。また、小型化が出来たことにより、金型も少し小型化出来て、さらに製造原価の削減といいう効果も現れた。
【００６９】
さらに、連続する３つの溶着面を有する特徴のＰＤ部品ならびにＥＦ部品の溶着面の構造により、当該一群の部品により開口部を有する一群の各種継手の開口部口周りおよび開口部内部や封止部の改良などの新たな技術を産み出した。
【図面の簡単な説明】
【００７０】
【図１】３つの溶着面を有するＰＤ部品あるいはＥＦ部品の平面図および正面図および下面図
【図２】図１のＢ−Ｂ断面図
【図３】図２の部分拡大図
【図４】ＰＤ継手あるいはＥＦ継手のバイパスサドルの平面図および正面図
【図５】図４のＡ−Ａ断面図
【図６】ＰＤ継手あるいはＥＦ継手のバイパスサドルの組み立て図
【図７】図６の組み立て後の断面図
【図８】２つの溶着面を有するＰＤ部品あるいはＥＦ部品の平面図および正面図および下面図
【図９】図８のＦ−Ｆ断面図
【図１０】図８の部分拡大図
【図１１】図５の溶着面の部分拡大図
【図１２】つば部外周面に工具取り付け部を配備した一例
【図１３】合成樹脂キャップ全体図
【図１４】合成樹脂製キャップ側面図
【図１５】合成樹脂キャップ断面図および組み立て図および軸心関係図
【発明を実施するための形態】
【００７１】
本発明において、ＰＤ部品ならびにＥＦ部品の溶着面は、面取り部の面取り面の溶着面と、当該面取り面の溶着面に連続するつば部裏面の平面上の溶着面と、当該面取り面の溶着面に連続する円柱状の外周面の溶着面との３つの連続する溶着面を有する特徴のＰＤ部品ならびにＥＦ部品の溶着面の構造である形態をしている。（発明その１）
【００７２】
本発明において、ＰＤ部品ならびにＥＦ部品の溶着面は、面取り部の面取り面の溶着面だけが溶着面である特徴を有するＰＤ部品ならびにＥＦ部品の溶着面の構造である形態をしている。（発明その２）
【００７３】
本発明において、ＰＤ部品ならびにＥＦ部品の溶着面は、面取り部の面取り面の溶着面と、
当該面取り面の溶着面に連続するつば部裏面の平面上の溶着面との２つの連続する溶着面を有する特徴のＰＤ部品ならびにＥＦ部品の溶着面の構造である形態をしている。（発明その３）
【００７４】
本発明において、ＰＤ部品ならびにＥＦ部品の溶着面は、面取り部の面取り面の溶着面と、当該面取り面の溶着面に連続する円柱状の外周面の溶着面との２つの連続する溶着面を有する特徴のＰＤ部品ならびにＥＦ部品の溶着面の構造に関する。（発明その４）
【００７５】
本発明において、前記発明その１および発明その２および発明その３および発明その４に記載の溶着面は、それぞれについて、溶着面より当該部品の内部方向にＰＤ接合用のＰＤ線ならびにＥＦ接合用のＥＦ線を配備し、さらに該ＰＤ線ならびにＥＦ線の配置は、当該の溶着面に平行な面上に配置される特徴を有し、前記に記載のＰＤ部品ならびにＥＦ部品における溶着面の構造に配備されるＰＤ線ならびにＥＦ線の配置構造である形態をしている。（発明その５）
【００７６】
本発明において、前述のＰＤ部品ならびにＥＦ部品におけるつば部表面には、一対のＥＦ端子あるいはＰＤ端子を配備し、さらに一対の端子間を接続するＰＤ線あるいはＥＦ線を配備し、さらに一つあるいは複数のインジケーターを配備する特徴を有するＰＤ部品ならびにＥＦ部品の構造である形態をしている。（発明その６）
【００７７】
本発明における発明その１において、３つの連続する溶着面である円柱状の外周面の溶着面は、さらにねじ部に連続接続される特徴を有するＰＤ部品ならびにＥＦ部品の構造である形態をしている。（発明その７）
【００７８】
本発明における発明その２において、面取り部の面取り面の溶着面は、ねじ部が連続接続される特徴を有するＰＤ部品ならびにＥＦ部品の構造である形態をしている。（発明その８）
【００７９】
本発明における発明その３において、面取り部の面取り面の溶着面は、つば部裏面の平面上の溶着面に連続接続される以外に、ねじ部が連続接続される特徴を有するＰＤ部品ならびにＥＦ部品の構造である形態をしている。（発明その９）
【００８０】
本発明における発明その４において、円柱状の外周面の溶着面は、ねじ部が連続接続される特徴を有するＰＤ部品ならびにＥＦ部品の構造である形態をしている。（発明その１０）
【００８１】
さらに、当該ねじ部には圧力抑制安全装置の装着部を配備し、圧力抑制安全装置を横着する特徴を有するＰＤ部品ならびにＥＦ部品である形態をしている。（発明その１１）。しかしながら、接合において、密閉空間の圧力上昇が良好の内に接合が完遂する場合には圧力抑制安全装置の装着を省くことが可能である。
【００８２】
本発明において、一群の各種ＰＤ継手ならびに一群の各種ＥＦ継手において、開口部の開放端に位置する開口部口は、ＰＤ部品やＥＦ部品が溶着される溶着面である平面状の開口部上端部を配備し、さらに該上端部に連続する面取り部の面取り面の溶着面を配備し、さらに該面取り部の面取り面の溶着面に連続する円筒状の内周面の溶着面を配備する。当該の３つの溶着面は、３つの溶着面を有するＰＤ部品ならびにＥＦ部品とＰＤ接合ならびにＥＦ接合される目的をもって、一群の各種継手の本体と一体に配備される特徴を有する当該３つの溶着面の構造である形態をしている。（発明その１２）
【００８３】
本発明において、一群の各種ＰＤ継手ならびに一群の各種ＥＦ継手の封止部は、封止部のメネジ部が３つの溶着面における内周面の溶着面に連続接続され、該一群の各種継手の本体と一体に配備される特徴を有する封止部の構造である形態をしている。（発明その１３）
【００８４】
本発明において、一群の各種ＰＤ部品ならびに一群の各種ＥＦ部品は、ねじ部に一群の圧力抑制安全装置を装着する特徴を有する一群の各種ＰＤ部品ならびに各種ＥＦ部品である形態をしている。（発明その１４）
【００８５】
本発明において、一群の各種ＰＤ継手ならびに一群の各種ＥＦ継手では、開口部の開放端に位置する開口部口は、ＰＤ部品やＥＦ部品が溶着される溶着面である平面状の開口部上端部を配備し、さらに該上端部に連続する面取り部の面取り面の溶着面を配備する。当該の２つの溶着面は、２つの溶着面を有するＰＤ部品ならびにＥＦ部品とＰＤ接合ならびにＥＦ接合される目的をもって、一群の各種継手の本体と一体に配備される特徴を有する当該２つの溶着面の構造である形態をしている。（発明その１５）
【００８６】
本発明において、一群の各種ＰＤ継手ならびに一群の各種ＥＦ継手の封止部は、封止部のメネジ部が２つの溶着面における面取り部の面取り面の溶着面に連続接続され、該一群の各種継手の本体と一体に配備される特徴を有する封止部の構造である形態をしている。（発明その１６）
【００８７】
本発明において、一群の各種ＰＤ継手ならびに一群の各種ＥＦ継手は、封入部に一群の圧力抑制安全装置を装着する特徴を有する一群のＰＤ継手ならびにＥＦ継手である形態をしている。（発明その１７）
【００８８】
本発明において、各種のＰＤ継手および各種のＥＦ継手および各種のＰＤ部品ならびに各種のＥＦ部品において、一群の継手ならびに一群の部品の溶着面は、Ｃ面取り部ならびにＲ面取り部の両方の面取り面を溶着面とすることが可能である特徴を有する一群の各種継手ならびに一群の各種部品である形態をしている。（発明その１８）
【００８９】
本発明において、各種のＰＤ継手および各種のＥＦ継手および各種のＰＤ部品ならびに各種のＥＦ部品において、一群の継手ならびに一群の部品本体内部に配置されるＰＤ線ならびにＥＦ線は、溶着面に平行な面上に配置される配置構造の特徴を有する前記に記載の一群の各種継手ならびに一群の各種部品である形態をしている。（発明その１９）
【００９０】
本発明において、例としたＰＤ継手あるいはＥＦ継手のバイパスサドルでは、封止部のメネジ部軸心と同一の軸心上に面取り面の溶着面における軸心は配置され、さらに、同一軸心上に、ＰＤ接合あるいはＥＦ接合にて組織的に一体として開口部ならびに開口部口を閉塞する本発明のＰＤ部品あるいはＥＦ部品における面取り部の面取り面の溶着面における軸心は、前記の同一の軸心上に配置される特徴を有する軸心の関係あるいは軸心の配置構造である形態をしている。（発明その２０）
【００９１】
さらに、当該のバイパスサドルは、開口部の内面は凹凸のある形状を有し、さらに、開口部口の開口部上端部が配置されるつば部の外周部の厚さは、従来の管継手のキャップなどを溶着するに十分な厚みを有することがなく、開口部の外周部は内面と同様に凹凸のある形状の特徴を有するＰＤ継手あるいはＥＦ継手である形態をしている。（発明その２１）
【００９２】
さらに、本発明において、例としたＰＤ継手あるいはＥＦ継手の合成樹脂キャップにおいても、バイパスサドルと同様に開口部内面あるいは開口部外周も凹凸のある形状の特徴を有するＰＤ継手あるいはＥＦ継手である形態をしている。（発明その２２）
【００９３】
本発明において、例としたＰＤ継手あるいはＥＦ継手の合成樹脂キャップは、接続部の軸心Ｘと排出部にほぼ平行な軸線Ｙはほぼ直交する関係に有り、さらに、キャップ内部側より順番に封止部の各軸心が同一軸心上に配置され、さらに該封止部におけるメネジ部の軸心と同一軸心上に円筒状の内周面の溶着面軸心が配置され、さらに面取り部の面取り面軸心が同一軸心上に配置される特徴を有する軸心の関係あるいは軸心の配置構造である形態をしている。（発明その２３）
【００９４】
また、当該の同一軸心は、図中のＹ１である開口部軸線および封入部軸心および封止部軸心と一致する。さらに該Ｙ１の軸心は、排出部にほぼ平行な軸線Ｙと同一の線上である場合と軸心Ｙと平行でオフセットして配置される形態をしている。（発明その２４）
【００９５】
さらに、封入部におけるコマ部軸心およびねじ部軸心がＹ１軸心上に配置される。さらに、本発明のＰＤ部品あるいはＥＦ部品の軸心関連が続けて同一軸心上に配置される。なおかつ、当該部品のねじ部軸心が配置され、さらに円筒状の外周面の溶着面軸心が連続して配置され、続けて面取り部の面取り面軸心が配置され、最後に、つば部の軸心が同様に配置されている特徴を有する封入部ならびに該部品の各軸心の配置構造である形態をしている。（発明その２５）
【００９６】
以上に記載の一群のＰＤ継手あるいは一群のＥＦ継手ならびにＰＤ部品あるいはＥＦ部品に配備されるインジケーターは、先行技術のインジケーターに類するものであれば良く、その配置は、特許文献２および特許文献３および特許文献４に記載の一列あるいは複数列に複数個数配置されても良く、さらに、千鳥状に複数個数配置されても良い特徴を有するインジケーターの配置構造である形態をしている。（発明その２６）
【００９７】
ＰＤ接合ならびにＥＦ接合により接合する一群のＰＤ継手ならびにＥＦ継手および一群のＰＤ部品ならびにＥＦ部品における溶着面は、面取り部の面取り面であるＣ面ならびにＲ面を１つの溶着面として、単独構造の溶着面である場合や当該溶着面に平面状の溶着面や外周面あるいは内周面の少なくとも一面以上を連続接続する構造を有する一群のＰＤ継手ならびにＥＦ継手および一群のＰＤ部品ならびにＥＦ部品である形態をしている。（発明その２７）
【実施例】
【００９８】
以上を踏まえて本発明の実施例を説明する。本発明の代表とし、管継手におけるＰＤ継手およびＥＦ継手として合成樹脂製のバイパスサドルならびに合成樹脂キャップを代表例とする。また、他の開口部口を有する一群のＰＤ継手およびＥＦ継手に共通する点が種々記述されている。
【００９９】
なお、ＰＤ継手ならびにＰＤ部品とＥＦ継手ならびにＥＦ部品との違いは、端子がＥＦ接合するための電気的な接続部の端子であるか、ＰＤ接合するための光線の伝送接続部の端子であるのかの相違点である。もう一つの相違点は、一対の端子管を接続する一本の線が、ＥＦ接合するための電気の流れる発熱電線であるか、ＰＤ接合するための入光された光線の一部が線外に漏出して周囲の溶着面を溶融させるガラス製などの線であるかの相違点のみである。先行文献を参照のこと。
【０１００】
また、一群のＥＦ継手とは、先行文献の特許文献５より特許文献１１に記載の各種のＥＦ継手であり、一群のＰＤ継手とは、前述の相違点の２つを加味した継手である。つまり、ＥＦ継手のキャップ（パージ開口部有り）継手ならびにＥＦ継手のソケット（パージ孔口有り）ならびにＥＦ継手のバイパスサドル（ホールソー取り付けおよびパージ孔口有り）ならびにＥＦ継手のサービスチー（ホールソー取り付けおよびパージ孔口有り）である。
【０１０１】
また、ＰＤ接合ならびにＰＤ継手ならびにＰＤ部品については、特許文献２および特許文献３および特許文献４を参照ください。
【０１０２】
つぎに、本発明の実施例を説明する。図１は、３つの溶着面を有するＰＤ部品あるいはＥＦ部品の平面図および正面図および下面図である。中央には正面図を図示しているおり、上には平面図を図示しており、下には下面図を図示している。図２は図１のＢ−Ｂ断面図を図示している。図３は図２の部分拡大図である。また、図１２はつば部外周面に工具取り付け部を配備した一例を図示している。
【０１０３】
つぎに、図１および図２および図３において、５０は蓋部であり、特許文献５より特許文献９の先行技術文献に記載されている封入部における蓋部であって、本発明で記述しているＰＤ部品あるいはＥＦ部品である。したがって、当該特許文献５および特許文献６および特許文献７および特許文献８および特許文献９を一緒に参照ください。
【０１０４】
つぎに、５１はつば部であり、裏面は平面状の形状をしている。この裏面は平面上の溶着面となっており、一群の各種ＰＤ継手ならびに一群の各種ＥＦ継手における開口部の開放端に位置する開口部口の平面状の開口部上端部とＰＤ接合あるいはＥＦ接合される（発明その１２）。また、つぎに、５２はねじ部であり、文字通り雄ねじであり、４２のメネジ部と嵌合する。
【０１０５】
つぎに、５３は蓋部ＰＤ線ならびにＥＦ線であり、溶着面より当該部品の内部方向にＰＤ接合用のＰＤ線ならびにＥＦ接合用のＥＦ線を配備し、さらに該ＰＤ線ならびにＥＦ線の配置は、当該の溶着面に平行な面上に配置されるＰＤ線ならびにＥＦ線の配置構造である（発明その５）。  
【０１０６】
さらに、ＰＤ線の場合には、ＰＤ接合に用いる線であってＰＤ端子に入光された光線が他方のＰＤ端子まで伝送する。伝送中に当該ＰＤ線の表面より漏出する光線によりＰＤ線の周囲の合成樹脂を溶融させてＰＤ接合する。また、ＥＦ線の場合には、従来技術のＥＦ接合に用いられているので省略する。
【０１０７】
つぎに、５４はＰＤ端子ならびにＥＦ端子である。５３がＰＤ線の場合には、ＰＤ端子であり、ＥＦ線の場合はＥＦ端子である。５０の蓋部における１０１の蓋部表側に一対配備され、一対の端子間を５３のＰＤ線あるいはＥＦ線によって接続される。ＰＤ端子の時には、光源より伝送されてきた光線を５３のＰＤ線に伝達する。また、ＥＦ線の場合には、電気的な接続を行う（発明その６）。また、ＰＤ線の場合には、一方の端子よりＰＤ線に伝送された光線は、ＰＤ接合に用いられた以外の残りの光線はもう一方の端子より光源側に帰還する。という構造になっている。
【０１０８】
つぎに、５４ａは蓋部インジケーターである。ＰＤ接合あるいはＥＦ接合が正常に行われたのかを目視確認する表示装置であり、特許文献１５のインジケーターを代表例とした。その他のインジケーターでも何の支障もない。また、一群のＰＤ継手あるいは一群のＥＦ継手ならびにＰＤ部品あるいはＥＦ部品に配備されるインジケーターは、先行技術のインジケーターに類するものであれば良く、その配置は、特許文献２および特許文献３および特許文献４に記載の一列あるいは複数列に複数個数配置されても良く、さらに、千鳥状に複数個数配置されても良い特徴を有するインジケーターの配置構造である形態をしている。（発明その２６）（発明その６）
【０１０９】
つぎに、５９は蓋部圧力抑制安全装置装着部であり、ねじ部５２の一部に配備される特許文献１２および１３および１４に記載の圧力抑制安全装置を装着する部分である。また、当該ねじ部には圧力抑制安全装置の装着部を配備し、圧力抑制安全装置を装着する特徴を有するＰＤ部品ならびにＥＦ部品である（発明その１１）。また、形態の違う蓋部圧力抑制安全装置装着部とすることも支障はなく、一例として、特許文献７に記載の装着部を配備しても良い。その他、各種一群の圧力抑制安全装置を装着する装着部とすることも何の支障はない。したがって、一群の各種ＰＤ部品ならびに一群の各種ＥＦ部品は、ねじ部に一群の圧力抑制安全装置を装着する特徴を有する一群の各種ＰＤ部品ならびに各種ＥＦ部品である形態をしている。（発明その１４）
【０１１０】
つぎに、９９は工具用凸部である。９９の工具用凸部は５０の蓋部と一体に成形され、さらに１０１の蓋部表側に配備されて、スパナや専用工具などを９９に合わせ、本発明のＰＤ部品およびＥＦ部品である５０の蓋部を回し、５２のおねじ部を４２のメネジ部にねじ込み固定させる。
【０１１１】
また、つば部外周面に工具取り付け部を配備した一例を図示している図１２ののように、９９の凸部の形態をすることなく、９９は工具用凸部にさせて、専用工具や鰐口などで５０の蓋部を回す手段とすることも良い。また、八角形以外に六角形などの多角形であっても支障はない。
【０１１２】
つぎに、１０１は蓋部表側の位置的な表記である。前述の様に１０１の蓋部表側には、一対の端子ならびにインジケーターならびに９９の工具用凸部（つば部外周面に工具取り付け部を配備こともある。）が配備されるという特徴を有する本発明のＰＤ部品ならびにＥＦ部品である。
【０１１３】
つぎに、図２のＢ−Ｂ断面図および図２の部分拡大図である図３を使用して、本発明のＰＤ部品およびＥＦ部品における溶着面についての特徴を説明する。図１および図２および図３において、１０５はつば部裏面の平面上の溶着面である。また、１０７は面取り部の面取り面の溶着面である。また、１０９は円柱状の外周面の溶着面である。さらに、１２０は連続する３つの溶着面である。
【０１１４】
断り書き。
先行文献の各文献には、ＥＦ接合時の発熱の一部が、封止部および封入部によって出来る密閉空間の温度を上昇させる。それに伴い、密閉空間の圧力が上昇するので、この圧力上昇が、溶着部の溶融部に悪影響を与えて、溶着不良の発生を懸念していた。
【０１１５】
しかしながら、切磋琢磨の末に、色々な一群の形態を有する圧力抑制安全装置を発明するに至り、当該の問題を解決する効果を現して当初の懸念していた問題が十分に解決出来るので、つば部の大きさの小型化もすることの出来る本発明に達した。また、より確実にするために一群の圧力抑制安全装置の創作に務める。
【０１１６】
ここで、図３に図示しているように、本発明のＰＤ部品およびＥＦ部品における１２０の連続する３つの溶着面は、１０５はつば部裏面の平面上の溶着面と１０７は面取り部の面取り面の溶着面と１０９は円柱状の外周面の溶着面より構成されている。（発明その１）
【０１１７】
また、溶着面としての構成は、以下の様に変化する。最初に、１０７の面取り部の面取り面だけを溶着面とする場合もある。（発明その２）
【０１１８】
さらに、１０７の面取り部の面取り面の溶着面に連続する１０５のつば部裏面の平面上の溶着面の２つの連続する面を溶着面とする場合もある（発明その３）。当該の２つの連続する面を溶着面とする一例を後述する図１２に示しているので参照のこと。
【０１１９】
さらに、１０７の面取り部の面取り面の溶着面に連続する１０９の円柱状の外周面の溶着面の２つの連続する面を溶着面とする場合もある。（発明その４）
【０１２０】
したがって、以上のように４つの構成形態を有する特徴を有する一群のＰＤ部品およびＥＦ部品における溶着面の構造となる。
【０１２１】
また、図１および図２および図３より、蓋部ＰＤ線ならびにＥＦ線の５３と前記発明その１および発明その２および発明その３および発明その４に記載の１２０および１０５および１０７および１０９の溶着面は、それぞれについて、溶着面より当該部品の内部方向にＰＤ接合用のＰＤ線ならびにＥＦ接合用のＥＦ線を配備し、さらに該ＰＤ線ならびにＥＦ線の配置は、当該の溶着面に平行な面上に配置される特徴を有し、前記に記載のＰＤ部品ならびにＥＦ部品における溶着面の構造に配備されるＰＤ線ならびにＥＦ線の配置構造となっている。（発明その５）
【０１２２】
また、図１および図２および図３より、発明その１において、３つの連続する溶着面である円柱状の外周面の溶着面は、さらにねじ部に連続接続される特徴を有するＰＤ部品ならびにＥＦ部品の構造に関する。（発明その７）
【０１２３】
また、２つの溶着面を有するＰＤ部品あるいはＥＦ部品について、図１および図２および図３より、発明その２において、面取り部の面取り面の溶着面は、ねじ部が連続接続される特徴を有するＰＤ部品ならびにＥＦ部品の構造に関する。（発明その８）
【０１２４】
また、図１および図２および図３より、発明その３において、面取り部の面取り面の溶着面は、つば部裏面の平面上の溶着面に連続接続される以外に、ねじ部が連続接続される特徴を有するＰＤ部品ならびにＥＦ部品の構造に関する。（発明その９）
【０１２５】
また、図１および図２および図３より、発明その４において、円柱状の外周面の溶着面は、ねじ部が連続接続される特徴を有するＰＤ部品ならびにＥＦ部品の構造に関する。（発明その１０）
【０１２６】
つぎに、各溶着面についての説明をする。１０５のつば部裏面の平面上の溶着面は、先行文献にある蓋部におけるつば部裏面の溶着面であり、後述する図１１の１５０を構成する３０ａのホールソー取付け孔およびパージ孔上端面の溶着面とＰＤ接合あるいはＥＦ接合され、合成樹脂にて組織的に一体化される。
【０１２７】
また、１０７の面取り部の面取り面の溶着面は、本発明で発明された進歩的な溶着面である。当該溶着部により単独な溶着面としても機能する。さらに、他の溶着面に当該溶着面が連続接続されることにより溶着面積も増やせるので、従来技術の蓋部におけるつば部裏面の平面状の溶着面だけの場合と比較するとコンパクトになり、つば部の外径の大きさも小さく出来た効果が現れた。本発明の最も新規的で進歩的な特徴で有る。
【０１２８】
さらに、１０７の面取り部の面取り面の溶着面は、後述する図１１の１５０を構成する１２０ｅとＰＤ接合あるいはＥＦ接合され、合成樹脂にて組織的に一体化される。
【０１２９】
また、１０９の円柱状の外周面の溶着面は、後述する図１１の１５０を構成する１２０ｄとＰＤ接合あるいはＥＦ接合され、合成樹脂にて組織的に一体化される。さらに、当該の溶着面を連続接続させたことにより溶着面積も増やせるので溶着強度まで増える相乗効果も現れた。
【０１３０】
以上のような特徴を有する本発明のＰＤ部品あるいはＥＦ部品で開口部口あるいは開口部を閉塞するＰＤ継手の説明は、一例としてＰＤ継手あるいはＥＦ継手のバイパスサドルを取り上げる。
【０１３１】
本発明の図４は、ＰＤ継手あるいはＥＦ継手のバイパスサドルの平面図および正面図を図示している。なお、特許文献９の特願２０１６−１７１２５４号に記載の合成樹脂製ＥＦ継手のバイパスサドルの開口部口周辺や開口部内部を、本発明のＰＤ部品あるいはＥＦ部品をＰＤ接合およびＥＦ接合出来る様に改良したもので有る。
【０１３２】
また、当該の改良は、先行技術に列記したキャップやサービスチーなどに同様に容易に応用が出来て、さらに、当業者の一般的な知識で十分に理解出来る程度の改良であるので、もう一つの後述した合成樹脂キャップを代表例とし、その他の継手類に関しては一群のＰＤ継手あるいは一群のＥＦ継手と記述して省略します。
【０１３３】
つぎに、図５は図４のＡ−Ａ断面図を図示している。また、図６はＰＤ継手あるいはＥＦ継手のバイパスサドルの組み立て図を図示している。また、図７は図６の組み立て後の断面図を図示している。また、図１１は図５の溶着面の部分拡大図を図示している。
【０１３４】
図４および図５および図６および図１１において、１１は固定クランプ固定部である。当該のバイパスサドルを合成樹脂管にＰＤ接合あるいはＥＦ接合させる時に、バイパスサドルを取り付ける位置を決め、溶着面の清掃やスクレープが終了した後に、固定クランプにて取り付け位置に固定する。該クランプを取り付ける部位である。１２は合成樹脂製ＰＤ継手ならびにＥＦ継手のバイパスサドル本体である。ポリエチレンや塩化ビニル等の合成樹脂などの材質である。
【０１３５】
つぎに、１３は合成樹脂製ＰＤ継手ならびにＥＦ継手のバイパスサドル本体ＰＤ線ならびにＥＦ線である。該バイパスサドルと合成樹脂製の管を接合させる目的で溶着面の管の外周面に平行な周面上に１２の本体に埋め込まれて配備されている。１４はバイパスサドル本体端子であり、ＰＤ線やＥＦ線の両端に一対の端子が配備され、該ＰＤ線やＥＦ線と融着コントローラーや光源より光線の伝送路となるファイバーを接続させる端子である。
【０１３６】
つぎに、１６は合成樹脂製ＰＤ継手ならびにＥＦ継手のバイパスサドル本体インジケーターである。特許文献１５のインジケーターを一例とする。ＰＤ線上やＥＦ線上に乗る様に配備されて、接合の状態を目視確認するために配備され、さらに、1個のインジケーターでも良いうえに、複数個を配備しても良い。特許文献２および特許文献３および特許文献４に記載のＰＤ接合に関する千鳥状などの配置構造でも良い。
【０１３７】
つぎに、３０はホールソー取付け孔およびパージ孔およびバイパス構築時の元コック取り付け孔および玉入れ孔と種々の使用方法がされる開口部である。ホールソーは、１２のバイパスサドル本体を合成樹脂製の管に接合完了後に該管の内部と開口部を連通させる穿孔作業をする。パージ作業などはガス工事の一般的な作業であるので省略する。また、３０ａはホールソー取付け孔およびパージ孔上端面であり、開口部の開放端の開口部口周辺に位置している。
【０１３８】
この開口部口周辺には、平面状の３０ａのホールソー取付け孔およびパージ孔上端面などの開放端や本発明のＰＤ部品やＥＦ部品とＰＤ接合やＥＦ接合される１つの平面状の溶着面や上端部と開口部の角を面取りした面取り部における面取り面の溶着部および継手円筒状の内周面の溶着面などが配置されている。
【０１３９】
つぎに、４０ は封止部であり、４１の封止部開口部および４２のメネジ部および４３のコマ固定部より構成されている。さらに４３のコマ固定部は４３ａのコマ固定上部および４３ｂの傾斜部および４３ｃの中心部より構成されている。封止部４３の外周には４５のノーブローバック取り付け部が配備されている。先行文献特許文献５より特許文献１１において説明している封止部や封入部についての説明を参照ください。
【０１４０】
ここで、図５および図１１において、１５０の継手連続する３つの溶着面を説明する。１５０の継手連続する３つの溶着面は、平面状の３０ａのホールソー取付け孔およびパージ孔上端面である溶着面と１２０ｅの継手面取り部の面取り面の溶着面と１２０ｄの継手円筒状の内周面の溶着面より構成される。この 継手連続する３つの溶着面は、発明その１に記載の３つの連続する溶着面を有する特徴のＰＤ部品ならびにＥＦ部品の溶着面と接合される面となっている。本発明における発明その１に対応する溶着面の構造である。
【０１４１】
したがって、一群の各種ＰＤ継手ならびに一群の各種ＥＦ継手において、開口部の開放端に位置する開口部口は、ＰＤ部品やＥＦ部品が溶着される溶着面である平面状の開口部上端部を配備し、さらに該上端部に連続する面取り部の面取り面の溶着面を配備し、さらに該面取り部の面取り面の溶着面に連続する円筒状の内周面の溶着面を配備する。当該の３つの溶着面は、３つの溶着面を有するＰＤ部品ならびにＥＦ部品とＰＤ接合ならびにＥＦ接合される目的をもって、一群の各種継手の本体と一体に配備される特徴を有する当該３つの溶着面の構造である。（発明その１２）
【０１４２】
つぎに、図５および図１１において、１５０の継手連続する３つの溶着面より１２０ｄの継手円筒状の内周面の溶着面を取り除き、平面状の３０ａのホールソー取付け孔およびパージ孔上端面である溶着面と１２０ｅの継手面取り部の面取り面の溶着面の２つの溶着面より構成されても良い。また、３０ａのホールソー取付け孔およびパージ孔上端面である溶着面を取り除き、１２０ｅの継手面取り部の面取り面の溶着面と１２０ｄの継手円筒状の内周面の溶着面より構成されても良い。本発明の発明その３および発明その４に対応する溶着面の構造である。
【０１４３】
したがって、一群の各種ＰＤ継手ならびに一群の各種ＥＦ継手では、開口部の開放端に位置する開口部口は、ＰＤ部品やＥＦ部品が溶着される溶着面である平面状の開口部上端部を配備し、さらに該上端部に連続する面取り部の面取り面の溶着面を配備する。当該の２つの溶着面は、２つの溶着面を有するＰＤ部品ならびにＥＦ部品とＰＤ接合ならびにＥＦ接合される目的をもって、一群の各種継手の本体と一体に配備される特徴を有する当該２つの溶着面の構造である。（発明その１５）
【０１４４】
つぎに、図５および図１１において、１５０の継手連続する３つの溶着面より１２０ｄの継手円筒状の内周面の溶着面を取り除き、さらに平面状の３０ａのホールソー取付け孔およびパージ孔上端面も取り除き、１２０ｅの継手面取り部の面取り面の溶着面だけが溶着面となる。本発明の発明その２に対応する溶着面の構造である。
【０１４５】
したがって、各種のＰＤ継手および各種のＥＦ継手および各種のＰＤ部品ならびに各種のＥＦ部品において、一群の継手ならびに一群の部品の溶着面は、Ｃ面取り部ならびにＲ面取り部の両方の面取り面を溶着面とする特徴を有する一群の各種継手である。（発明その１８）
【０１４６】
つぎに、封止部における４２のメネジ部は、図５および図１１に図示しているように、１５０の３つの溶着面の一部と連続接続される。この連続接続は、本発明の発明その１および発明その４では１５０の溶着面の一部である１２０ｄの継手円筒状の内周面の溶着面に接続される。
【０１４７】
さらに、この連続接続は、本発明の発明その２および発明その３では１５０の溶着面の一部である１２０ｅの継手面取り部の面取り面の溶着面に接続される。
【０１４８】
したがって、一群の各種ＰＤ継手ならびに一群の各種ＥＦ継手の封止部は、封止部のメネジ部が３つの溶着面における内周面の溶着面に連続接続され、該一群の各種継手の本体と一体に配備される特徴を有する封止部の構造である。（発明その１３）
【０１４９】
さらに、一群の各種ＰＤ継手ならびに一群の各種ＥＦ継手の封止部は、封止部のメネジ部が２つの溶着面における面取り部の面取り面の溶着面に連続接続され、該一群の各種継手の本体と一体に配備される特徴を有する封止部の構造である。（発明その１６）
【０１５０】
さらに、一群の各種ＰＤ継手ならびに一群の各種ＥＦ継手の封止部は、封止部のメネジ部が１つの溶着面における面取り部の面取り面のみの溶着面に連続接続され、該一群の各種継手の本体と一体に配備される特徴を有する封止部の構造である。
【０１５１】
つぎに、図６のＰＤ継手あるいはＥＦ継手のバイパスサドルの組み立て図において、４６は封入部である。蓋部５０とねじ部６０とコマ７０により構成されて、２００の圧力抑制安全装置が封入部における蓋部５０とねじ部６０の間に装着される。したがって、、一群の各種ＰＤ継手ならびに一群の各種ＥＦ継手は、封入部に一群の圧力抑制安全装置を装着する特徴を有する一群のＰＤ継手ならびにＥＦ継手である（発明その１７）。詳細は特許文献５より特許文献１４の説明を参照ください。
【０１５２】
つぎに、図７は図６の組み立て後の断面図を参照して、２００の圧力抑制安全装置が封入部に装着されており、さらに、１２０の連続する３つの溶着面は１５０の継手連続する３つの溶着面と接して、５３のＰＤ線あるいはＥＦ線にて溶着される断面が見て取れる。また、２つの溶着面の場合にも、面取り面の溶着部だけの場合にも同様に溶着面同士が接することも見て取れる。
【０１５３】
また、図４および図５および図６および図７における各部の軸心関係は、管側より順番に説明する。まづ、４１の軸心が有り、さらに４３ｃの軸心、さらに４３ｂの軸心、さらにの軸心、さらに４３ａの軸心、さらに４２の軸心、さらに１２０ｄの軸心（除外の場合もある。）、さらに１２０ｅの軸心の軸心が、整然と順番に並び、全てが同一軸心と一致している軸心の関係にある。
【０１５４】
さらに５２の軸心、さらに１０９の軸心（除外の場合もある。）、さらに１０７の軸心が当該同一軸心と一致して順番に連座している。
【０１５５】
つぎに、図８は２つの溶着面を有するＰＤ部品あるいはＥＦ部品の平面図および正面図および下面図を図示している。また、図９は図８のＦ−Ｆ断面図を図示している。また、図１０は図８の部分拡大図である。なお、当該の図は、図１の３つの溶着面を有する場合より、１０９円柱状の外周面の溶着面を除外して、２つの溶着面を有する場合の説明図となっている。
【０１５６】
ここで、図１および図２および図３と図８および図９および図１０を比較すると、１０９円柱状の外周面の溶着面だけを除外したものであると明瞭に理解出来る。したがって、１２０の連続する３つの溶着面は、１０５のつば部裏面の平面上の溶着面と１０７の面取り部の面取り面の溶着面の１２１の連続する２つの溶着面となる。
【０１５７】
ここで、図３および図１０に図示している５３のＰＤ線あるいはＥＦ線に注目して、本発明では、各種のＰＤ継手および各種のＥＦ継手および各種のＰＤ部品ならびに各種のＥＦ部品において、一群の継手ならびに一群の部品本体内部に配置されるＰＤ線ならびにＥＦ線は、溶着面に平行な面上に配置される配置構造の特徴を有する一群の各種継手ならびに一群の各種部品である（発明その１９）。なお、面の形状は平面、円周面、Ｒ面取りおよびＣ面取り面の色々な面となっている。
【０１５８】
さらに、図１より図１２までに図示されている各部ならびに各部の軸心の関係は、例としたＰＤ継手あるいはＥＦ継手のバイパスサドルでは、封止部のメネジ部軸心と同一の軸心上に面取り面の溶着面における軸心は配置され、さらに、同一軸心上に、ＰＤ接合あるいはＥＦ接合にて組織的に一体として開口部ならびに開口部口を閉塞する本発明のＰＤ部品あるいはＥＦ部品における面取り部の面取り面の溶着面における軸心は、前記の同一の軸心上に配置される特徴を有する軸心の関係あるいは軸心の配置構造となっている。（発明その２０）
【０１５９】
また、図１より図１２までに図示されている各部において、当該のバイパスサドルは、開口部の内面は凹凸のある形状を有し、さらに、開口部口の開口部上端部が配置されるつば部の外周部の厚さは、従来の管継手のキャップなどを溶着するに十分な厚みを有することがなく、開口部の外周部は内面と同様に凹凸のある形状の特徴を有するＰＤ継手あるいはＥＦ継手である。（発明その２１）
【０１６０】
なお、開口部を有する一群の継手における溶着面は、接合する際にはアルコールなどによる清掃ならびにスクレーパーやカンナを使用して薄くスクレープして、汚れや酸化膜を取り除く準備が必要である。また、一群の部品における溶着面は、接合する際にはアルコールなどによる清掃が必要である。
【０１６１】
つぎに、合成樹脂キャップを例とした実施例を説明する。図１３は合成樹脂キャップ全体図である。また、図１４は合成樹脂製キャップ側面図である。また、図１５は合成樹脂キャップ断面図および組み立て図および軸心関係図である。
【０１６２】
以下の説明には先行技術の特許文献の全体を参照にしてください。殆ど合成樹脂キャップと同様である。大きな変更点は、ＰＤ接合対応のＰＤ継手としてのキャップである点、および開口部口付近の溶着面が、上端部の平面のみでなく、面取り面ならびに継手円筒状の内周面の溶着面が追加された点である。
【０１６３】
本発明の図１３において、１０ＣＰは合成樹脂キャップ本体であり、ポリエチレンや塩化ビニルなどの合成樹脂製である。つぎに、１１ＣＰは接続部であり、１２ＣＰの接続部の一端に配置された開口部より差し込まれた１００ＣＰの合成樹脂製の管と１０ＣＰの合成樹脂キャップ本体とをＰＤ接合あるいはＥＦ接合にて接続する部位である。また、１３ＣＰは合成樹脂キャップ本体ＰＤ線ならびにＥＦ線であり、ＰＤ接合あるいはＥＦ接合にて接続する目的で、本体に一体に埋め込まれている各種の線である。
【０１６４】
つぎに、１４ＣＰは合成樹脂キャップ本体端子であり、本体の外表面側に一対配備されてＰＤ端子あるいはＥＦ端子であり、溶着コントローラーや光源より伝送されてきた光線を繋げる端子である。また、各接合が問題なく行われたのか目視確認する５４ａＣＰの合成樹脂キャップ本体インジケーターを一対あるいは千鳥状の配置などによる複数個配備することも良い。
【０１６５】
したがって、一群のＰＤ継手あるいは一群のＥＦ継手ならびにＰＤ部品あるいはＥＦ部品に配備されるインジケーターは、先行技術のインジケーターに類するものであれば良く、その配置は、特許文献２および特許文献３および特許文献４に記載の一列あるいは複数列に複数個数配置されても良く、さらに、千鳥状に複数個数配置されても良い特徴を有するインジケーターの配置構造である。（発明その２６）
【０１６６】
つぎに、２０ＣＰは排出部であり、円筒状の形状であり本体に部分的に埋め込まれた状態になるよう配置されている。該排出部は本体や合成樹脂製の管にガスを充満させるために、３０のパージ孔より内部に入っていた空気を抜きさる作業時の際、作業性の良い方向でスムーズにパージ作業が行えるように配備した部分である。
【０１６７】
また、パージ作業時に外部にガスを余分に流出すること無く作業を行うために用いるノーブローバックを本体に取り付ける４５のノーブローバック取り付け部を３０のパージ孔の外周に配備している。
【０１６８】
また、２０ＣＰの排出部には４３の封止部を有し、該封止部は４１の封止部開口部と４２のメネジ部と４３のコマ固定部により構成され、さらに４３のコマ固定部は４３ａのコマ固定上部と４３ｂの傾斜部と４３ｃの中心部により構成されている。４３ａのコマ固定上部はゴム製や合成樹脂製の７０のコマにおける側面部が接触し、さらに４３ｂの傾斜部は７０のコマにおける傾斜部が接触する。このように２つの接触面により内部よりのガス流出阻止が出来るので確実である。
【０１６９】
さらに、確実なガス流出阻止が行われた後に、パージ孔を合成樹脂にて組織的に一体とするＥＦ接合が行えるので、電気の流れる端子部などの接触不良や線の断線による火花の発生が起きたとしても、燃焼の三要素の可燃物のガスが周囲より排除されているので燃焼は起きない。さらに、ＰＤ接合は、光線を用いるので着火源が初めより除外された安全である。
【０１７０】
つぎに、１２０の３つの連続する溶着面を有する本発明のＰＤ部品やＥＦ部品を溶着するために配備する１５０の溶着面は、開口部口周辺に配備されている。当該溶着面は４２のメネジ部に連続接続される１２０ｄの継手円筒状の内周面の溶着面と１２０ｅの継手面取り部の面取り面の溶着面と３０ａのパージ孔上端面の溶着面により構成されている。１２０ｄの溶着面は１０９の溶着面と接合され、さらに１２０ｅの継手面取り部の面取り面の溶着面は１０７の溶着面と接合され、さらに３０ａのパージ孔上端面の溶着面は１０５の溶着面と接合される溶着面の構造をしている。
【０１７１】
さらに、本発明において、例としたＰＤ継手あるいはＥＦ継手の合成樹脂キャップでは、バイパスサドルと同様に開口部内面あるいは開口部外周も凹凸のある形状の特徴を有するＰＤ継手あるいはＥＦ継手である。（発明その２２）
【０１７２】
なお、前述のバイパスサドルにおける各溶着面と同様で１２０ｅの継手面取り部の面取り面の溶着面だけの場合もあり、さらに該溶着面に連続する１２０ｄの継手円筒状の内周面の溶着面の２つの溶着面、あるいは該溶着面に連続する３０ａのパージ孔上端面の溶着面の２つの溶着面であっても良い。
【０１７３】
したがって、ＰＤ接合ならびにＥＦ接合により接合する一群のＰＤ継手ならびにＥＦ継手および一群のＰＤ部品ならびにＥＦ部品における溶着面は、面取り部の面取り面であるＣ面ならびにＲ面を１つの溶着面として、単独構造の溶着面である場合や当該溶着面に平面状の溶着面や外周面あるいは内周面の少なくとも一面以上を連続接続する構造を有する一群のＰＤ継手ならびにＥＦ継手および一群のＰＤ部品ならびにＥＦ部品（発明その２７）。
【０１７４】
また、４２のメネジ部は、それぞれ１２０ｅの継手面取り部の面取り面に連続接続される場合と１２０ｄの継手円筒状の内周面の溶着面が連続接続される場合があることは、バイパスサドルの説明と殆ど同様である。
【０１７５】
また、４６の封入部は７０のコマおよび６０のねじ部および５０の蓋部あるいは本発明のＰＤ部品あるいはＥＦ部品より構成されている。また、２００の圧力抑制安全装置は当該封入部の６０のねじ部および５０の蓋部の間に装着されて、密閉空間の圧力上昇を抑制する。
【０１７６】
つぎに、本発明のＰＤ継手あるいはＥＦ継手である管継手の合成樹脂キャップにおける各軸心の関係を説明する。軸心Ｘは接続部の軸線であり、また軸心Ｙは排出部にほぼ平行な軸線であり、また軸心Ｙ１は開口部軸線および封入部軸心および封止部軸心である。
【０１７７】
また、図１５の実施例としたＰＤ継手あるいはＥＦ継手の合成樹脂キャップは、接続部の軸心Ｘと排出部にほぼ平行な軸線Ｙはほぼ直交する関係に有り、さらに、キャップ内部側より順番に封止部の各軸心が同一軸心上に配置され、さらに該封止部におけるメネジ部の軸心と同一軸心上に円筒状の内周面の溶着面軸心が配置され、さらに面取り部の面取り面軸心が同一軸心上に配置される特徴を有する軸心の関係あるいは軸心の配置構造である。（発明その２３）
【０１７８】
また、当該の同一軸心は、図１５のＹ１である開口部軸線および封入部軸心および封止部軸心と一致する。さらに該Ｙ１の軸心は、排出部にほぼ平行な軸線Ｙと同一の線上である場合と軸心Ｙと平行でオフセットして配置される事もある。（発明その２４）
【０１７９】
さらに、封入部におけるコマ部軸心およびねじ部軸心がＹ１軸心上に配置される。さらに、本発明のＰＤ部品あるいはＥＦ部品の軸心関連が続けて同一軸心上に配置される。なおかつ、当該部品のねじ部軸心が配置され、さらに円筒状の外周面の溶着面軸心が連続して配置され、続けて面取り部の面取り面軸心が配置され、最後に、つば部の軸心が同様に配置されている特徴を有する封入部ならびに該部品の各軸心の配置構造である。（発明その２５）
【産業上の利用可能性】
【０１８０】
従来技術の一群のＰＤ部品やＥＦ部品のつば部外径より小型化が図れたので、その応用とする開口部口を有する一群のＰＤ継手やＥＦ継手に利用出来る。さらに、従来技術のシルクハット状の部品などにも応用出来る。その他の面取り部を有する数多くのＰＤ接合やＥＦ接合に応用出来る。
【符号の説明】
【０１８１】
１０ＣＰ  合成樹脂キャップ
１１    固定クランプ固定部
１１ＣＰ  接続部
１２    合成樹脂製ＰＤ継手ならびにＥＦ継手のバイパスサドル本体
１２ＣＰ  接続部の一端に配置された開口部
１３    合成樹脂製ＰＤ継手ならびにＥＦ継手のバイパスサドル本体ＰＤ線ならびにＥＦ線
１３ＣＰ  合成樹脂キャップ本体ＰＤ線ならびにＥＦ線
１４    バイパスサドル本体端子
１４ＣＰ  合成樹脂キャップ本体端子
１６    合成樹脂製ＰＤ継手ならびにＥＦ継手のバイパスサドル本体インジケーター
２０ＣＰ  排出部
３０    ホールソー取付け孔およびパージ孔
３０ａ  ホールソー取付け孔およびパージ孔上端面
４０    封止部
４１    封止部開口部
４２    メネジ部
４３    コマ固定部
４３ａ  コマ固定上部
４３ｂ  傾斜部
４３ｃ  中心部
４５    ノーブローバック取り付け部
４６    封入部
５０    蓋部
５１    つば部
５２    ねじ部
５３    蓋部ＰＤ線ならびにＥＦ線
５４    ＰＤ端子ならびにＥＦ端子
５４ａ  蓋部インジケーター
５４ａＣＰ  合成樹脂キャップ本体インジケーター
５９    蓋部圧力抑制安全装置装着部
６０    ネジ部
７０    コマ
９９    工具用凸部
１００ＣＰ  合成樹脂製の管
１０１  蓋部表側
１０５  つば部裏面の平面上の溶着面
１０７  面取り部の面取り面の溶着面
１０９  円柱状の外周面の溶着面
１２０  連続する３つの溶着面
１２１  連続する２つの溶着面
１２０ｅ  継手面取り部の面取り面の溶着面
１２０ｄ  継手円筒状の内周面の溶着面
１５０    継手連続する３つの溶着面
２００    圧力抑制安全装置
Ｘ    接続部の軸線
Ｙ    排出部にほぼ平行な軸線
Ｙ１  開口部軸線および封入部軸心および封止部軸心
【図１】
2019022966.tif 000003
【図２】
2019022966.tif 000004
【図３】
2019022966.tif 000005
【図４】
2019022966.tif 000006
【図５】
2019022966.tif 000007
【図６】
2019022966.tif 000008
【図７】
2019022966.tif 000009
【図８】
2019022966.tif 000010
【図９】
2019022966.tif 000011
【図１０】
2019022966.tif 000012
【図１１】
2019022966.tif 000013
【図１２】
2019022966.tif 000014
【図１３】
2019022966.tif 000015
【図１４】
2019022966.tif 000016
【図１５】
2019022966.tif 000017